【手続補正書】
【提出日】令和3年6月22日(2021.6.22)
【手続補正１】
【補正対象書類名】特許請求の範囲
【補正対象項目名】全文
【補正方法】変更
【補正の内容】
【特許請求の範囲】
【請求項１】
拡張現実において補完コンテンツを提示するための方法であって、前記方法は、
ユーザの拡張現実デバイスの視野内のオブジェクトを識別することと、
前記オブジェクトの画像を処理し、前記オブジェクト上で、イベントの参加者に関連する参照を検出することと、
前記ユーザのソーシャルネットワークを検索し、前記参加者についてのメッセージを識別することと、
前記拡張現実デバイスを使用して、前記オブジェクトの場所において、前記メッセージのコンテンツをオーバーレイし、前記メッセージを前記オブジェクト上で検出される前記参照と組み合わせることと
を含む、方法。
【請求項２】
拡張現実において補完コンテンツを提示するための方法であって、前記方法は、
拡張現実デバイスの視野内のオブジェクトにわたって第１のユーザの拡張現実デバイスを位置付けることと、
前記第１のユーザの拡張現実デバイスの視野内の前記オブジェクトを識別することと、
前記オブジェクトの画像を捕捉することと、
データベースを検索し、前記オブジェクトの画像の少なくとも一部に合致するコンテンツを識別することと、
前記オブジェクトの画像の少なくとも一部に合致するコンテンツを識別することに応答して、前記コンテンツと関連付けられるメタデータを読み出し、前記オブジェクト上で、イベントの参加者に関連する参照を検出することと、
前記第１のユーザのソーシャルネットワーク上のメッセージのリストを検索し、前記参加者に合致するコンテンツを含む所与のメッセージを識別することと、
前記識別されたコンテンツに合致する前記画像の一部を含む前記視野内の前記オブジェクトの領域を決定することによって、前記参加者に関連する前記参照のオブジェクト上の場所を識別することと、
前記拡張現実デバイスを使用して、前記識別された場所に対する位置において、前記所与のメッセージを前記オブジェクト上で検出される前記参照と組み合わせることと
を含む、方法。
【請求項３】
前記画像を捕捉することは、カメラ回路を使用し、前記オブジェクトを表すピクセルを記憶することを含む、請求項２に記載の方法。
【請求項４】
前記データベースを検索することは、
画像をコンテンツと関連付ける複数のエントリを前記データベース内に記憶することと、
前記オブジェクトの捕捉された画像内の複数の明確に異なるアイテムを検出することと、
前記明確に異なるアイテムのうちの所与のものに実質的に対応する所与の画像を含む前記複数のエントリのうちの所与のものを識別することと、
前記所与の画像と関連付けられる前記コンテンツを読み出すことと
を含む、請求項２に記載の方法。
【請求項５】
前記コンテンツは、第１のチームのロゴを備え、前記ロゴのデータベース検索に基づいて、かつ前記メタデータに基づいて、前記第１のチームの名称を決定することをさらに含む、請求項４に記載の方法。
【請求項６】
前記イベントは、スポーツイベントであり、
前記スポーツイベントにおける複数の競争相手を識別することと、
前記第１のチームが前記スポーツイベントで取り上げられていることを決定することと、
前記複数の競争相手を検索し、前記スポーツイベントで取り上げられている第２のチームを識別することと、
前記所与のメッセージとして、前記第２のチームを含む前記メッセージのうちの１つを選択することと
をさらに含む、請求項５に記載の方法。
【請求項７】
前記イベントと関連付けられる時間を識別することと、
前記時間の閾値内に前記ソーシャルネットワークに伝送された前記メッセージのリストのサブセットを選択することと
をさらに含む、請求項２に記載の方法。
【請求項８】
前記オブジェクト上で検出される前記参照と組み合わせられる前記所与のメッセージの拡張現実デバイスを通した視界を表す写真を記憶することと、
前記ユーザが前記写真を前記ソーシャルネットワークに伝送するためのオプションを表示するために生成することと
をさらに含む、請求項２に記載の方法。
【請求項９】
前記オブジェクトは、第２のユーザによって着用される衣料品を含み、前記画像の一部は、前記第２のユーザによって着用される前記衣料品上のグラフィックを含み、前記コンテンツは、前記グラフィックによって表されるチームを含む、請求項２に記載の方法。
【請求項１０】
拡張現実において補完コンテンツを提示するためのシステムであって、前記システムは、
ユーザ入力を受信するように構成される入出力（Ｉ／Ｏ）インターフェース回路と、
制御回路であって、
拡張現実デバイスの視野内のオブジェクトにわたって第１のユーザの拡張現実デバイスを位置付けることと、
前記第１のユーザの拡張現実デバイスの視野内の前記オブジェクトを識別することと、
前記オブジェクトの画像を捕捉することと、
データベースを検索し、前記オブジェクトの画像の少なくとも一部に合致するコンテンツを識別することと、
前記オブジェクトの画像の少なくとも一部に合致するコンテンツを識別することに応答して、前記コンテンツと関連付けられるメタデータを読み出し、前記オブジェクト上で、イベントの参加者に関連する参照を検出することと、
前記第１のユーザのソーシャルネットワーク上のメッセージのリストを検索し、前記参加者に合致するコンテンツを含む所与のメッセージを識別することと、
前記識別されたコンテンツに合致する前記画像の一部を含む前記視野内の前記オブジェクトの領域を決定することによって、前記参加者に関連する前記参照のオブジェクト上の場所を識別することと、
前記拡張現実デバイスを使用して、前記識別された場所に対する位置において、前記所与のメッセージを前記オブジェクト上で検出される前記参照と組み合わせることと
を行うように構成される、制御回路と
を備える、システム。
【手続補正２】
【補正対象書類名】明細書
【補正対象項目名】００１９
【補正方法】変更
【補正の内容】
【００１９】
上記に説明されるシステム、方法、装置、および／または側面は、本開示に説明される他のシステム、方法、装置、および／または側面に適用される、またはそれに従って使用され得ることに留意されたい。
本願明細書は、例えば、以下の項目も提供する。
（項目１）
拡張現実において補完コンテンツを提示するための方法であって、前記方法は、
ユーザの拡張現実デバイスの視野内のオブジェクトを識別することと、
前記オブジェクトの画像を処理し、前記オブジェクト上で、イベントの参加者に関連する参照を検出することと、
前記ユーザのプロファイルを検索し、前記ユーザによってソーシャルネットワークに以前に伝送された前記参加者についてのメッセージを識別することと、
前記拡張現実デバイスを使用して、前記オブジェクトの場所において、前記ユーザによって前記ソーシャルネットワークに伝送される前記メッセージのコンテンツをオーバーレイし、前記メッセージを前記オブジェクト上で検出される前記参照と組み合わせることと
を含む、方法。
（項目２）
拡張現実において補完コンテンツを提示するための方法であって、前記方法は、
拡張現実デバイスの視野内のオブジェクトにわたって第１のユーザの拡張現実デバイスを位置付けることと、
前記第１のユーザの拡張現実デバイスの視野内の前記オブジェクトを識別することと、
前記オブジェクトの画像を捕捉することと、
データベースを検索し、前記オブジェクトの画像の少なくとも一部に合致するコンテンツを識別することと、
前記オブジェクトの画像の少なくとも一部に合致するコンテンツを識別することに応答して、前記コンテンツと関連付けられるメタデータを読み出し、前記オブジェクト上で、イベントの参加者に関連する参照を検出することと、
前記第１のユーザによってソーシャルネットワークに以前に伝送されたメッセージのリストを検索し、前記参加者に合致するコンテンツを含む所与のメッセージを識別することと、
前記識別されたコンテンツに合致する前記画像の一部を含む前記視野内の前記オブジェクトの領域を決定することによって、前記参加者に関連する前記参照のオブジェクト上の場所を識別することと、
前記拡張現実デバイスを使用して、前記識別された場所に対する位置において、前記所与のメッセージを前記オブジェクト上で検出される前記参照と組み合わせることと
を含む、方法。
（項目３）
前記画像を捕捉することは、カメラ回路を使用し、前記オブジェクトを表すピクセルを記憶することを含む、項目２に記載の方法。
（項目４）
前記データベースを検索することは、
画像をコンテンツと関連付ける複数のエントリを前記データベース内に記憶することと、
前記オブジェクトの捕捉された画像内の複数の明確に異なるアイテムを検出することと、
前記明確に異なるアイテムのうちの所与のものに実質的に対応する所与の画像を含む前記複数のエントリのうちの所与のものを識別することと、
前記所与の画像と関連付けられる前記コンテンツを読み出すことと
を含む、項目２に記載の方法。
（項目５）
前記コンテンツは、第１のチームのロゴを備え、前記ロゴのデータベース検索に基づいて、かつ前記メタデータに基づいて、前記第１のチームの名称を決定することをさらに含む、項目４に記載の方法。
（項目６）
前記イベントは、スポーツイベントであり、
前記スポーツイベントにおける複数の競争相手を識別することと、
前記第１のチームが前記スポーツイベントで取り上げられていることを決定することと、
前記複数の競争相手を検索し、前記スポーツイベントで取り上げられている第２のチームを識別することと、
前記所与のメッセージとして、前記第２のチームを含む前記メッセージのうちの１つを選択することと
をさらに含む、項目５に記載の方法。
（項目７）
前記イベントと関連付けられる時間を識別することと、
前記時間の閾値内に前記ソーシャルネットワークに伝送された前記メッセージのリストのサブセットを選択することと
をさらに含む、項目２に記載の方法。
（項目８）
前記オブジェクト上で検出される前記参照と組み合わせられる前記所与のメッセージの拡張現実デバイスを通した視界を表す写真を記憶することと、
前記ユーザが前記写真を前記ソーシャルネットワークに伝送するためのオプションを表示するために生成することと
をさらに含む、項目２に記載の方法。
（項目９）
前記オブジェクトは、第２のユーザによって着用される衣料品を含み、前記画像の一部は、前記第２のユーザによって着用される前記衣料品上のグラフィックを含み、前記コンテンツは、前記グラフィックによって表されるチームを含む、項目２に記載の方法。
（項目１０）
前記所与のメッセージおよび前記オブジェクト上で検出される前記参照の複合コンテンツを含むメッセージを、前記オブジェクトと関連付けられる第２のユーザに伝送することをさらに含む、項目２に記載の方法。
（項目１１）
前記拡張現実デバイスは、携帯電話またはユーザによって着用されるヘッドセットを備える、項目２に記載の方法。
（項目１２）
拡張現実において補完コンテンツを提示するためのシステムであって、前記システムは、
ユーザ入力を受信するように構成される入出力（Ｉ／Ｏ）インターフェース回路と、
制御回路であって、
拡張現実デバイスの視野内のオブジェクトにわたって第１のユーザの拡張現実デバイスを位置付けることと、
前記第１のユーザの拡張現実デバイスの視野内の前記オブジェクトを識別することと、
前記オブジェクトの画像を捕捉することと、
データベースを検索し、前記オブジェクトの画像の少なくとも一部に合致するコンテンツを識別することと、
前記オブジェクトの画像の少なくとも一部に合致するコンテンツを識別することに応答して、前記コンテンツと関連付けられるメタデータを読み出し、前記オブジェクト上で、イベントの参加者に関連する参照を検出することと、
前記第１のユーザによってソーシャルネットワークに以前に伝送されたメッセージのリストを検索し、前記参加者に合致するコンテンツを含む所与のメッセージを識別することと、
前記識別されたコンテンツに合致する前記画像の一部を含む前記視野内の前記オブジェクトの領域を決定することによって、前記参加者に関連する前記参照のオブジェクト上の場所を識別することと、
前記拡張現実デバイスを使用して、前記識別された場所に対する位置において、前記所与のメッセージを前記オブジェクト上で検出される前記参照と組み合わせることと
を行うように構成される、制御回路と
を備える、システム。
（項目１３）
前記画像を捕捉するように構成される前記制御回路は、カメラ回路を使用し、前記オブジェクトを表すピクセルを記憶する、項目１２に記載のシステム。
（項目１４）
前記データベースを検索するように構成される前記制御回路はさらに、
画像をコンテンツと関連付ける複数のエントリを前記データベース内に記憶することと、
前記オブジェクトの捕捉された画像内の複数の明確に異なるアイテムを検出することと、
前記明確に異なるアイテムのうちの所与のものに実質的に対応する所与の画像を含む前記複数のエントリのうちの所与のものを識別することと、
前記所与の画像と関連付けられる前記コンテンツを読み出すことと
を行うように構成される、項目１２に記載のシステム。
（項目１５）
前記コンテンツは、第１のチームのロゴを備え、前記制御回路はさらに、前記ロゴのデータベース検索に基づいて、かつ前記メタデータに基づいて、前記第１のチームの名称を決定するように構成される、項目１４に記載のシステム。
（項目１６）
前記イベントは、スポーツイベントであり、前記制御回路はさらに、
前記スポーツイベントにおける複数の競争相手を識別することと、
前記第１のチームが前記スポーツイベントで取り上げられていることを決定することと、
前記複数の競争相手を検索し、前記スポーツイベントで取り上げられている第２のチームを識別することと、
前記所与のメッセージとして、前記第２のチームを含む前記メッセージのうちの１つを選択することと
を行うように構成される、項目１５に記載のシステム。
（項目１７）
前記制御回路はさらに、
前記イベントと関連付けられる時間を識別することと、
前記時間の閾値内に前記ソーシャルネットワークに伝送された前記メッセージのリストのサブセットを選択することと
を行うように構成される、項目１２に記載のシステム。
（項目１８）
前記制御回路はさらに、
前記オブジェクト上で検出される前記参照と組み合わせられる前記所与のメッセージの拡張現実デバイスを通した視界を表す写真を記憶することと、
前記ユーザが前記写真を前記ソーシャルネットワークに伝送するためのオプションを表示するために生成することと
を行うように構成される、項目１２に記載のシステム。
（項目１９）
前記オブジェクトは、第２のユーザによって着用される衣料品を含み、前記画像の一部は、前記第２のユーザによって着用される前記衣料品上のグラフィックを含み、前記コンテンツは、前記グラフィックによって表されるチームを含む、項目１２に記載のシステム。
（項目２０）
前記制御回路はさらに、前記所与のメッセージおよび前記オブジェクト上で検出される前記参照の複合コンテンツを含むメッセージを、前記オブジェクトと関連付けられる第２のユーザに伝送するように構成される、項目１２に記載のシステム。
（項目２１）
前記拡張現実デバイスは、携帯電話またはユーザによって着用されるヘッドセットを備える、項目１２に記載のシステム。
（項目２２）
拡張現実において補完コンテンツを提示するためのシステムであって、前記システムは、
拡張現実デバイスの視野内のオブジェクトにわたって第１のユーザの拡張現実デバイスを位置付けるための手段と、
前記第１のユーザの拡張現実デバイスの視野内の前記オブジェクトを識別するための手段と、
前記オブジェクトの画像を捕捉するための手段と、
データベースを検索し、前記オブジェクトの画像の少なくとも一部に合致するコンテンツを識別するための手段と、
前記オブジェクトの画像の少なくとも一部に合致するコンテンツを識別することに応答して、前記コンテンツと関連付けられるメタデータを読み出し、前記オブジェクト上で、イベントの参加者に関連する参照を検出するための手段と、
前記第１のユーザによってソーシャルネットワークに以前に伝送されたメッセージのリストを検索し、前記参加者に合致するコンテンツを含む所与のメッセージを識別するための手段と、
前記識別されたコンテンツに合致する前記画像の一部を含む前記視野内の前記オブジェクトの領域を決定することによって、前記参加者に関連する前記参照のオブジェクト上の場所を識別するための手段と、
前記拡張現実デバイスを使用して、前記識別された場所に対する位置において、前記所与のメッセージを前記オブジェクト上で検出される前記参照と組み合わせるための手段と
を備える、システム。
（項目２３）
前記画像を捕捉するための手段は、カメラ回路を使用し、前記オブジェクトを表すピクセルを記憶することを含む、項目２２に記載のシステム。
（項目２４）
前記データベースを検索するための手段は、
画像をコンテンツと関連付ける複数のエントリを前記データベース内に記憶するための手段と、
前記オブジェクトの捕捉された画像内の複数の明確に異なるアイテムを検出するための手段と、
前記明確に異なるアイテムのうちの所与のものに実質的に対応する所与の画像を含む前記複数のエントリのうちの所与のものを識別するための手段と、
前記所与の画像と関連付けられる前記コンテンツを読み出すための手段と
を備える、項目２２に記載のシステム。
（項目２５）
前記コンテンツは、第１のチームのロゴを備え、前記ロゴのデータベース検索に基づいて、かつ前記メタデータに基づいて、前記第１のチームの名称を決定するための手段をさらに備える、項目２４に記載のシステム。
（項目２６）
前記イベントは、スポーツイベントであり、
前記スポーツイベントにおける複数の競争相手を識別するための手段と、
前記第１のチームが前記スポーツイベントで取り上げられていることを決定するための手段と、
前記複数の競争相手を検索し、前記スポーツイベントで取り上げられている第２のチームを識別するための手段と、
前記所与のメッセージとして、前記第２のチームを含む前記メッセージのうちの１つを選択するための手段と
をさらに備える、項目２５に記載のシステム。
（項目２７）
前記イベントと関連付けられる時間を識別するための手段と、
前記時間の閾値内に前記ソーシャルネットワークに伝送された前記メッセージのリストのサブセットを選択するための手段と
をさらに備える、項目２２に記載のシステム。
（項目２８）
前記オブジェクト上で検出される前記参照と組み合わせられる前記所与のメッセージの拡張現実デバイスを通した視界を表す写真を記憶するための手段と、
前記ユーザが前記写真を前記ソーシャルネットワークに伝送するためのオプションを表示するために生成するための手段と
をさらに備える、項目２２に記載のシステム。
（項目２９）
前記オブジェクトは、第２のユーザによって着用される衣料品を含み、前記画像の一部は、前記第２のユーザによって着用される前記衣料品上のグラフィックを含み、前記コンテンツは、前記グラフィックによって表されるチームを含む、項目２２に記載のシステム。
（項目３０）
前記所与のメッセージおよび前記オブジェクト上で検出される前記参照の複合コンテンツを含むメッセージを、前記オブジェクトと関連付けられる第２のユーザに伝送するための手段をさらに備える、項目２２に記載のシステム。
（項目３１）
前記拡張現実デバイスは、携帯電話またはユーザによって着用されるヘッドセットを備える、項目２２に記載のシステム。
（項目３２）
非一過性のコンピュータ可読媒体であって、前記非一過性のコンピュータ可読媒体は、非一過性のコンピュータ可読命令を有し、前記非一過性のコンピュータ可読命令は、拡張現実において補完コンテンツを提示するために、前記非一過性のコンピュータ可読媒体上にエンコードされており、前記非一過性のコンピュータ可読媒体は、
拡張現実デバイスの視野内のオブジェクトにわたって第１のユーザの拡張現実デバイスを位置付けるための命令と、
前記第１のユーザの拡張現実デバイスの視野内の前記オブジェクトを識別するための命令と、
前記オブジェクトの画像を捕捉するための命令と、
データベースを検索し、前記オブジェクトの画像の少なくとも一部に合致するコンテンツを識別するための命令と、
前記オブジェクトの画像の少なくとも一部に合致するコンテンツを識別することに応答して、前記コンテンツと関連付けられるメタデータを読み出し、前記オブジェクト上で、イベントの参加者に関連する参照を検出するための命令と、
前記第１のユーザによってソーシャルネットワークに以前に伝送されたメッセージのリストを検索し、前記参加者に合致するコンテンツを含む所与のメッセージを識別するための命令と、
前記識別されたコンテンツに合致する前記画像の一部を含む前記視野内の前記オブジェクトの領域を決定することによって、前記参加者に関連する前記参照のオブジェクト上の場所を識別するための命令と、
前記拡張現実デバイスを使用して、前記識別された場所に対する位置において、前記所与のメッセージを前記オブジェクト上で検出される前記参照と組み合わせるための命令と
を備える、非一過性のコンピュータ可読媒体。
（項目３３）
前記画像を捕捉するための命令は、カメラ回路を使用し、前記オブジェクトを表すピクセルを記憶する、項目３２に記載の非一過性のコンピュータ可読媒体。
（項目３４）
前記データベースを検索するための命令は、
画像をコンテンツと関連付ける複数のエントリを前記データベース内に記憶するための命令と、
前記オブジェクトの捕捉された画像内の複数の明確に異なるアイテムを検出するための命令と、
前記明確に異なるアイテムのうちの所与のものに実質的に対応する所与の画像を含む前記複数のエントリのうちの所与のものを識別するための命令と、
前記所与の画像と関連付けられる前記コンテンツを読み出すための命令と
を備える、項目３２に記載の非一過性のコンピュータ可読媒体。
（項目３５）
前記コンテンツは、第１のチームのロゴを備え、前記ロゴのデータベース検索に基づいて、かつ前記メタデータに基づいて、前記第１のチームの名称を決定するための命令をさらに備える、項目３４に記載の非一過性のコンピュータ可読媒体。
（項目３６）
前記イベントは、スポーツイベントであり、
前記スポーツイベントにおける複数の競争相手を識別するための命令と、
前記第１のチームが前記スポーツイベントで取り上げられていることを決定するための命令と、
前記複数の競争相手を検索し、前記スポーツイベントで取り上げられている第２のチームを識別するための命令と、
前記所与のメッセージとして、前記第２のチームを含む前記メッセージのうちの１つを選択するための命令と
をさらに備える、項目３５に記載の非一過性のコンピュータ可読媒体。
（項目３７）
前記イベントと関連付けられる時間を識別するための命令と、
前記時間の閾値内に前記ソーシャルネットワークに伝送された前記メッセージのリストのサブセットを選択するための命令と
をさらに備える、項目３２に記載の非一過性のコンピュータ可読媒体。
（項目３８）
前記オブジェクト上で検出される前記参照と組み合わせられる前記所与のメッセージの拡張現実デバイスを通した視界を表す写真を記憶するための命令と、
前記ユーザが前記写真を前記ソーシャルネットワークに伝送するためのオプションを表示するために生成するための命令と
をさらに備える、項目３２に記載の非一過性のコンピュータ可読媒体。
（項目３９）
前記オブジェクトは、第２のユーザによって着用される衣料品を含み、前記画像の一部は、前記第２のユーザによって着用される前記衣料品上のグラフィックを含み、前記コンテンツは、前記グラフィックによって表されるチームを含む、項目３２に記載の非一過性のコンピュータ可読媒体。
（項目４０）
前記所与のメッセージおよび前記オブジェクト上で検出される前記参照の複合コンテンツを含むメッセージを、前記オブジェクトと関連付けられる第２のユーザに伝送するための命令をさらに備える、項目３２に記載の非一過性のコンピュータ可読媒体。
（項目４１）
前記拡張現実デバイスは、携帯電話またはユーザによって着用されるヘッドセットを備える、項目３２に記載の非一過性のコンピュータ可読媒体。
（項目４２）
拡張現実において補完コンテンツを提示するための方法であって、前記方法は、
拡張現実デバイスの視野内のオブジェクトにわたって第１のユーザの拡張現実デバイスを位置付けることと、
前記第１のユーザの拡張現実デバイスの視野内の前記オブジェクトを識別することと、
前記オブジェクトの画像を捕捉することと、
データベースを検索し、前記オブジェクトの画像の少なくとも一部に合致するコンテンツを識別することと、
前記オブジェクトの画像の少なくとも一部に合致するコンテンツを識別することに応答して、前記コンテンツと関連付けられるメタデータを読み出し、前記オブジェクト上で、イベントの参加者に関連する参照を検出することと、
前記第１のユーザによってソーシャルネットワークに以前に伝送されたメッセージのリストを検索し、前記参加者に合致するコンテンツを含む所与のメッセージを識別することと、
前記識別されたコンテンツに合致する前記画像の一部を含む前記視野内の前記オブジェクトの領域を決定することによって、前記参加者に関連する前記参照のオブジェクト上の場所を識別することと、
前記拡張現実デバイスを使用して、前記識別された場所に対する位置において、前記所与のメッセージを前記オブジェクト上で検出される前記参照と組み合わせることと
を含む、方法。
（項目４３）
前記画像を捕捉することは、カメラ回路を使用し、前記オブジェクトを表すピクセルを記憶することを含む、項目４２に記載の方法。
（項目４４）
前記データベースを検索することは、
画像をコンテンツと関連付ける複数のエントリを前記データベース内に記憶することと、
前記オブジェクトの捕捉された画像内の複数の明確に異なるアイテムを検出することと、
前記明確に異なるアイテムのうちの所与のものに実質的に対応する所与の画像を含む前記複数のエントリのうちの所与のものを識別することと、
前記所与の画像と関連付けられる前記コンテンツを読み出すことと
を含む、項目４２−４３のいずれか１項に記載の方法。
（項目４５）
前記コンテンツは、第１のチームのロゴを備え、前記ロゴのデータベース検索に基づいて、かつ前記メタデータに基づいて、前記第１のチームの名称を決定することをさらに含む、項目４２−４４のいずれか１項に記載の方法。
（項目４６）
前記イベントは、スポーツイベントであり、
前記スポーツイベントにおける複数の競争相手を識別することと、
前記第１のチームが前記スポーツイベントで取り上げられていることを決定することと、
前記複数の競争相手を検索し、前記スポーツイベントで取り上げられている第２のチームを識別することと、
前記所与のメッセージとして、前記第２のチームを含む前記メッセージのうちの１つを選択することと
をさらに含む、項目４２−４５のいずれか１項に記載の方法。
（項目４７）
前記イベントと関連付けられる時間を識別することと、
前記時間の閾値内に前記ソーシャルネットワークに伝送された前記メッセージのリストのサブセットを選択することと
をさらに含む、項目４２−４６のいずれか１項に記載の方法。
（項目４８）
前記オブジェクト上で検出される前記参照と組み合わせられる前記所与のメッセージの拡張現実デバイスを通した視界を表す写真を記憶することと、
前記ユーザが前記写真を前記ソーシャルネットワークに伝送するためのオプションを表示するために生成することと
をさらに含む、項目４２−４７のいずれか１項に記載の方法。
（項目４９）
前記オブジェクトは、第２のユーザによって着用される衣料品を含み、前記画像の一部は、前記第２のユーザによって着用される前記衣料品上のグラフィックを含み、前記コンテンツは、前記グラフィックによって表されるチームを含む、項目４２−４８のいずれか１項に記載の方法。
（項目５０）
前記所与のメッセージおよび前記オブジェクト上で検出される前記参照の複合コンテンツを含むメッセージを、前記オブジェクトと関連付けられる第２のユーザに伝送することをさらに含む、項目４２−４９のいずれか１項に記載の方法。
（項目５１）
前記拡張現実デバイスは、携帯電話またはユーザによって着用されるヘッドセットを備える、項目４２−５０のいずれか１項に記載の方法。